(57)【要約】      （修正有）【課題】テーブル状単位部材を用いた雨水貯留浸透施設の省資源化を図る。【解決手段】テーブル状部材の盤体部縁部には脚部側に向かって開口する凹部に係合可能で中央には盤体縁部の最外部のリブが２枚はめ込む溝が設けられた凸部を上下両端に有する壁材を用いて、ユニットに壁材を１：１に挿入もしくはユニットに壁材を半分ずらして挿入することで横方向に接続して貯留空間の周壁を形成し、周壁内にユニットを周壁と同じ高さに積み上げた柱部をユニット分間隔を開けて配列し、周壁と柱部間、柱部と柱部間を平盤部の倍の辺長を有する盤体で相対向するユニットの相対向する脚部の間に挿入することで周壁と柱部および柱部と柱部間を接続し、周壁と柱部、柱部と柱部を天井板で覆った雨水等の貯留空間を形成する。【選択図】図６
2018131787.tif 000002
【特許請求の範囲】
【請求項１】
平盤部と平盤部に開口する脚部とからなるテーブル状部材を地下に配列することで貯留空間を形成した雨水等の貯留浸透施設において、前記テーブル状部材の盤体部縁部には脚部側に向かって開口する凹部が設けられ、当該テーブル状部材をその脚部を対向させた状態に組み合わせたユニットとその上下にある盤体に１：１に係合する壁材であって、当該壁材の上端下端には前記盤体縁部に設けられた凹部に係合する凸部が設けられ、当該凸部の中央には盤体縁部の最外部のリブが2枚はめ込む溝が設けられ、ユニットを壁材で接続するに当たり、下記いずれかの方法で横方向に接続し、前記貯留空間の周壁を形成し、当該周壁内にユニットを周壁と同じ高さに積み上げた柱部をユニット分間隔を開けて配列し、前記周壁と柱部間、柱部と柱部間を平盤部の倍の辺長を有する接続盤体で相対向するユニットの相対向する脚部の間に挿入することで周壁と柱部および柱部と柱部間を接続し、周壁と柱部、柱部と柱部を天井板で覆った雨水等の貯留浸透施設用の貯留空間。
１．ユニットに壁材を１：１に挿入し、ユニット間を継手で接続する。
２．ユニットに壁材を半分ずらして挿入する。
【請求項２】
請求項1記載の周壁内に配置する柱部をユニットを中心としてその上下に空間を設け、底部と最上部に相当する位置にテーブル状部材をその脚部の底部がそれぞれ下向き、上向きとなるよう配置し、ユニット底部の脚部と底部のテーブル状部材の脚部、ユニット上部の脚部と最上部のテーブル状部材の脚部のそれぞれ相対向する脚内に支柱を挿入し、前記周壁と柱部間、柱部と柱部間を平盤部の倍の辺長を有する接続盤体で相対向するユニットの相対向する脚部の間に挿入することで周壁と柱部および柱部と柱部間を接続し、周壁と柱部、柱部と柱部を脚部の底部が係合可能な凹部を設けた天井板で覆った雨水等の貯留浸透施設用の貯留空間。
【発明の詳細な説明】
【技術分野】
【０００１】
本発明は、雨水等の貯留浸透施設の技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開平10-252108、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
上記単位部材の配列を工夫することで省資源を図る方法として本発明者らは特開2008-280775、特開2010-048010、特開2010-059729の方法を提案した。
【０００３】
【特許文献１】特開平10-252108
【特許文献２】特開平11-222886
【特許文献３】特開2008-280775
【特許文献４】特開2010-048010
【特許文献５】特開2010-059729
【発明の開示】
【発明が解決しようとする課題】
【０００４】
本発明は、テーブル状単位部材を用いた雨水貯留浸透施設の省資源化の提案である。
【課題を解決するための手段】
【０００５】
本第1の発明は、平盤部と平盤部に開口する脚部とからなるテーブル状部材を地下に配列することで貯留空間を形成した雨水等の貯留浸透施設において、前記テーブル状部材の盤体部縁部には脚部側に向かって開口する凹部が設けられ、当該テーブル状部材をその脚部を対向させた状態に組み合わせたユニットとその上下にある盤体に１：１に係合する壁材であって、当該壁材の上端下端には前記盤体縁部に設けられた凹部に係合する凸部が設けられ、当該凸部の中央には盤体縁部の最外部のリブが2枚はめ込む溝が設けられ、ユニットを壁材で接続するに当たり、下記いずれかの方法で横方向に接続し、前記貯留空間の周壁を形成し、当該周壁内にユニットを周壁と同じ高さに積み上げた柱部をユニット分間隔を開けて配列し、前記周壁と柱部間、柱部と柱部間を平盤部の倍の辺長を有する接続盤体で相対向するユニットの相対向する脚部の間に挿入することで周壁と柱部および柱部と柱部間を接続し、周壁と柱部、柱部と柱部を天井板で覆った雨水等の貯留浸透施設用の貯留空間である。
１．ニットに壁材を１：１に挿入し、ユニット間を継手で接続する。
２．ユニットに壁材を半分ずらして挿入する。
本第2の発明は、上記第1の発明における周壁内配置する柱部をユニットを中心としてその上下に空間を設け、底部と最上部に相当する位置にテーブル状部材をその脚部の底部がそれぞれ下向き、上向きとなるよう配置し、ユニット底部の脚部と底部のテーブル状部材の脚部、ユニット上部の脚部と最上部のテーブル状部材の脚部のそれぞれ相対向する脚内に支柱を挿入し、前記周壁と柱部間、柱部と柱部間を平盤部の倍の辺長を有する接続盤体で相対向するユニットの相対向する脚部の間に挿入することで周壁と柱部および柱部と柱部間を接続し、周壁と柱部、柱部と柱部を脚部の底部が係合可能な凹部を設けた天井板で覆った雨水等の貯留浸透施設用の貯留空間である。
【発明の効果】
【０００６】
本発明は、周壁内にユニットを周壁と同じ高さに積み上げた柱部をユニット分間隔を開けて配列し、前記周壁と柱部間、柱部と柱部間を平盤部の倍の辺長を有する接続盤体で相対向するユニットの相対向する脚部の間に挿入して接続するため、従来の盤体相互を継手で接続するより周壁と柱部および柱部と柱部間を強固に接続できる。
本第2の発明は、周壁と柱部、柱部と柱部を脚部の底部が係合可能な凹部を設けた天井板で覆ったため、上記に合わせ、柱部の配置精度が高められる。
【図面の簡単な説明】
【０００７】
【図１】テーブル状部材とユニットおよび壁材を示す概念図である。
【図２】貯留空間の周壁を示す概念図である。
【図３】接続盤体を示す概念図である。
【図４】柱部の配置状態を示す概念図１である。
【図５】柱部の配置状態を示す概念図２である。
【図６】貯留空間を示す概念図１である。
【図７】貯留空間を示す概念図２である。
【図８】雨水等の貯留浸透施設の概念図である。
【発明を実施するための最良の形態】
【０００８】
以下、本発明を図によって、より詳細に説明する。
図１は、本発明の貯留浸透施設を構成するテーブル状部材、ユニットおよび壁材の概念図である。
図１ａはテーブル状部材の平面図と平盤部縁部の凹部を示す側断面図である。
テーブル状部材は図１に示すとおり、平盤部と平盤部に開口する脚部から形成され、平盤部の最外縁部には脚部方向に開口する凹部が設けられている。
図１ｂは、上記テーブル状部材をその脚部を対向するよう接続したユニットを示す。
図１ｃは、ユニットに挿入する壁材であり、その上端下端には上記テーブル状部材の盤体縁部に設けられた凹部に挿入可能となっている。凸部に設けられた溝幅は盤体縁部の最外側のリブが2枚挿入可能となっている。図では全ての溝幅が同じとなっているが本発明の目的には中央部分の溝だけでもよい。
なお本発明に使用できるテーブル状部材は図に示したものに限らず、脚部の数、脚部の断面については、円形、多角形、梅鉢形状など各種のものが使用可能である。
【０００９】
図２は、貯留空間を構成する周壁を示している。周壁の形成方法はユニットとユニットの接続方法の違いにより以下２通りある。
図２ａは、周壁を形成するユニットの第１の接続方法を示している。
ユニットと壁材を１：１に対応させて壁材をユニット上端、下端の盤体に設けた凹部を介して挿入する方法を示している。このときユニット間の接続は継手による。継手は平板に設けた複数の棒状の凸部と当該凸部に対応する盤体に設けたメス孔からなる。
ユニットを左右に接続し所定の空間を囲んで周壁の基とする。さらに得られた周壁の基を上方に形成し必要な容積が得られる貯留槽用の周壁とする。
図２ｂは、周壁を形成するユニットの第２の接続方法を示している。
ユニットに対し壁材を半分ずらして挿入する方法を示している。壁材の中央に設けた凹部の幅が盤体の最外縁部のリブの２倍とされているため、壁材でもってユニットを接続することができる。この方法でユニット間の接続強度を極めて高くすることができる。
この方法では周壁の各壁の端部に壁材の半分に相当する隙間が生じるのでその隙間に合わせた、補助の壁材を別途設けるか、壁材が射出成形で得られる場合は、現場で一部切り離して使用することでもよい。以下上記と同じように必要な容積が得られる貯留槽用の周壁とする。
【００１０】
図３は、周壁内に形成する柱部と周壁、柱部と柱部を接続する接続盤体を示している。
図4、図5に示すように接続盤体はテーブル状部材を形成する盤体の2倍の辺長を有する。接続盤体の隅と辺部にはテーブル状部材の脚部の底部が挿入可能な凹部が設けられ、かつ接続盤体の表面裏面に設けられている。接続盤体はユニットを構成する対向する脚部の間に挿入されユニット間を接続することで柱体と周壁、柱体と柱体間を接続する。図7、図8に示すように周壁と柱体を接続盤体で接続するとき、半分の脚部間に接続盤体を挿入し段差を解消することができる。もしくは接続盤体に設けた凹部を貫通孔とし、脚部の底部を狭め、その狭めた肩部で接続盤体に支えられるようにし、脚部底部を相接することで上記半分の接続盤体を使用しないようにしてもよい。
【００１１】
図４、図５は、周壁内に配置する柱部の形成方法を示している。その方法は以下２通りある。
図４に示す方法は、周壁内にユニットをユニット一体分を周壁から隔て、ユニットからユニット一体分隔てて配置し、それぞれ周壁の高さまで配列する。ユニットと周壁間、各ユニット間を接続盤体で接続する。図に示すように対向する脚部の間に接続盤体を挿入し、接続盤体に設けた凹部に脚部の底部を挿入することで接続するものである。
図に示すように、この板材によって周壁とユニットおよびユニット間が接続される。
天井板は図に示すように周壁と柱を周壁と柱と柱を覆うように配置する。
【００１２】
図５に示す方法は、周壁内に配置する他の柱の形成方法を示している。
図に示すように、周壁内にユニットをユニット一体分を周壁から隔て、ユニットからユニット一体分隔てて配置し、ユニットの上部および下部にテーブル状部材一個分の高さに相当する隙間を開けテーブル状部材を配置する。そのとき下方のテーブル状部材は脚部を下にし、上方のテーブル状部材は脚部を上にして配置して、ユニットとテーブル状部材の盤体の開口部を対向させる。対向するテーブル状部材の開口部に支柱を挿入して開口部を対向させた脚部と脚部を接続することで柱部とする。
支柱は樹脂もしくは金属製の棒体あるいは管体で、必要に応じて管体内にコンクリートを充填することができる。
周壁と柱部のユニット、柱部のユニット間は図４に示す方法と同様接続盤体で接続する。
【００１３】
図６、図７は周壁内に前述した柱部を形成させ、上部を天井板で覆って貯留空間とした状態を示している。
貯留空間は周壁柱部とも2通りの方法があるため、都合4種類の貯留空間がある。そのうち図2aに示す周壁と、図4に示す柱部とから形成される図6に示す貯留空間と図2bに示す周壁と、図５に示す柱部とから形成される図８に示す貯留空間を例示する。
天井板は図に示すように周壁と柱を周壁と柱と柱を覆うように配置する。但し
なお図5に示す柱部を使用する場合は図７に示すように天井板にはテーブル状部材の脚部が挿入できる凹部を設けることが望ましい。
【００１４】
図８は上記で得られた貯留空間（図2bの周壁と図4に示す柱部の組み合わせ）をシートで覆い、流入管、流出管、ドロだめ枡、オリフィス枡などの付帯設備を設け雨水などの流出抑制用施設に使用する浸透槽、貯留槽とすることができる。
【００１５】
テーブル状部材、壁材、接続盤体、支柱、天井板の材質は従来の単位部材を用いる方法と同様ポリプロピレンなどの射出成形可能なポリオレフィンあるいはステンレススチールなどの金属製とすることができる。また支柱、天井板はコンクリート製でもよい。
【産業上の利用可能性】
【００１６】
雨水等の流出抑制施設として利用可能である。
【符号の説明】
【００１７】
１  テーブル状部材
２  ユニット
３  壁材
４  周壁
５  接続盤体
６  柱
７  支柱
８  天井板
【図１】
2018131787.tif 000003
【図２】
2018131787.tif 000004
【図３】
2018131787.tif 000005
【図４】
2018131787.tif 000006
【図５】
2018131787.tif 000007
【図６】
2018131787.tif 000008
【図７】
2018131787.tif 000009
【図８】
2018131787.tif 000010